(57)【要約】【課題】  洗濯物の収納量を低下させることなく、洗濯物の収納スペースの横幅を小さくできるようにして、この種のスペースが洗濯物を収納しないときにデッドスペース化する問題を極力抑えることができるようにする。【解決手段】  引き出し式のキャビネット１であって、引き出し３の少なくとも一方の側面を開放状に形成する。この引き出し３に、洗濯物７の収納袋８を、口部８ａをフレーム９に開口状に取り付けた状態で吊り下げる。この収納袋８に洗濯物７を投入可能になるよう、上記のフレーム９が収納袋８の口部８ａを開閉するように形成する。【選択図】      図１
2010099149.tif 000002
【特許請求の範囲】
【請求項１】
引き出し式のキャビネットであって、引き出しの少なくとも一方の側面が開放状に形成され、この引き出しに、洗濯物の収納袋が、口部がフレームに開口状に取り付けられた状態で吊り下げられ、この収納袋に洗濯物を投入可能に上記のフレームが収納袋の口部を開閉自在に形成されていることを特徴とする洗濯物収納機能付きキャビネット。
【請求項２】
請求項１記載のキャビネットであって、収納袋がフレームに着脱自在に取り付けられていることを特徴とする洗濯物収納機能付きキャビネット。
【請求項３】
請求項１又は２記載のキャビネットであって、フレームが、収納袋の口部を閉じる起立姿勢と口部を開口する倒伏姿勢をとるよう、引き出しの前後方向に沿った軸を中心に起伏回動自在に形成されると共に、ワンタッチ式の留め具で留め付けられて起立状に配置されていることを特徴とする洗濯物収納機能付きキャビネット。
【請求項４】
請求項３記載のキャビネットであって、留め具がマグネットを備えて吸着式に形成されていることを特徴とする洗濯物収納機能付きキャビネット。
【請求項５】
請求項１乃至４の何れかに記載のキャビネットを備えて形成されていることを特徴とする洗面化粧台。
【発明の詳細な説明】
【技術分野】
【０００１】
本発明は、洗濯物収納機能付きキャビネットに関し、更に詳しくは洗面所や脱衣所等に設置して使用する洗濯物収納機能付きキャビネット及びこれを備えて形成されている洗面化粧台に関するものである。
【背景技術】
【０００２】
従来、この種のキャビネットとしては、引き出しの前板の上に、前垂れ式の扉が前後方向に回動自在に設けられ、引き出しの中に、ランドリーバスケット（洗濯物を収納するための籠型容器）が配置されているものがある。この従来品の場合は、ユーザーが扉を押して洗濯物を引き出しの中のランドリーバスケットに投入し、洗濯時は引き出しを引いてランドリーバスケットを外に出して使用するものである。
また従来、例えば特許文献１に記載されているように、洗面台と洗濯機とが並べられ、洗面台と洗濯機とを区画する隔壁を、洗面台の側に水平状態で回動可能に備えた洗面所も知られている。
【０００３】
ところで従来、ランドリーバスケットを備えたキャビネットの場合は、バスケットの容量及び洗濯物の投入口を確保する必要があることから、通常、引き出しの間口を４５０ｍｍ程度と、広く形成する必要があった。
しかしながら、ランドリーバスケットを使用する時間は、通常、脱衣後から洗濯時迄である。
しかるに従来品は、上記の通り、籠型（立体型）のランドリーバスケットを備える構造のため、洗濯物の収納時間に止まらず、常時、この種の洗濯物収納用キャビネットが、脱衣所等や、また洗面化粧台に組み込まれている場合は化粧台の収納部に、大きく、広いスペースを占有していたものである。
従って従来品によると、洗濯物を取り出した後は、洗濯物の収納スペース（洗面化粧台に組み込まれている場合は化粧台の一部）がデッドスペース化することになるのを避けられず、ひいては洗面所や脱衣所の有効スペースを狭め、洗濯物以外の物品の収納スペースを狭めることにもなっていた。
【特許文献１】特開平１１−１９７０３９号公報
【発明の開示】
【発明が解決しようとする課題】
【０００４】
本発明は、このような従来技術の問題点に鑑み、提案されたものである。
従って本発明の解決しようとする技術的課題は、洗濯物の収納量を低下させることなく、洗濯物の収納スペースの横幅を小さくできるようにして、この種のスペースが洗濯物を収納しないときにデッドスペース化する問題を極力抑えることができるよう形成した洗濯物収納機能付きキャビネット及びこれを備えた洗面化粧台を提供することにある。
【課題を解決するための手段】
【０００５】
本発明は、上記の課題を解決するため、次のような技術的手段を採る。
即ち本発明は、図１等に示されるように、引き出し式のキャビネット１であって、引き出し３の少なくとも一方の側面が開放状に形成され、この引き出し３に、洗濯物７の収納袋８が、口部８ａがフレーム９に開口状に取り付けられた状態で吊り下げられ、この収納袋８に洗濯物７を投入可能に上記のフレーム９が収納袋８の口部８ａを開閉自在に形成されていることを特徴とする（請求項１）。
【０００６】
この場合、本発明は、収納袋８がフレーム９に着脱自在に取り付けられているのが好ましい（請求項２）。
なぜならこれによると、収納袋８が破損したり汚れたときはフレーム９から取り外して新品と交換したり、或いは洗濯することができるからである。
【０００７】
また本発明の場合は、フレーム９が、図４、図５等に示されるように、収納袋８の口部８ａを閉じる起立姿勢と口部８ａを開口する倒伏姿勢をとるよう、引き出し３の前後方向に沿った軸１２を中心に起伏回動自在に形成されると共に、ワンタッチ式の留め具１３で留め付けられて起立状に配置されているのが好ましい（請求項３）。
なぜならこれによると、ワンタッチ式の留め具１３により、フレーム９の固定や固定状態の解除を、簡単、迅速にできるからである。ここで、ワンタッチ式の留め具１３とは、フレーム９の留め付け操作や、その解除操作を、極めて簡単、迅速にできる器具を意味するものである。具体的には、マグネット１３ａを備えて吸着式に形成したり（請求項４）、洗濯ばさみ状のクリップや、或いは巻きバネの復元力で留め付け片をフレーム９に圧着して固定するバインダー構造により実現される。
【０００８】
また本発明の洗面化粧台２は、図１、図３に示されるように、請求項１乃至４の何れかに記載のキャビネット１を備えて形成されていることを特徴とする（請求項５）。
この本発明の場合は、洗濯物７の収納スペースの横幅を大きく広くとることなく、洗濯物７を収納することができ、従って洗濯物７を収納していないときのデッドスペース化の問題を解消できる。
【発明の効果】
【０００９】
本発明は、このように洗濯物を投入するときだけ収納袋の口部を開口して使用でき、通常は収納袋が引き出しの中に懸吊されてコンパクトに収納されているものである。
従って本発明の場合は、引き出しの横幅、キャビネットの洗濯物の収納箇所の横幅を小さく狭くできるから、これによれば、この種のスペースが洗濯物を収納しないときにデッドスペース化する、という問題を極力抑えることができる。
【発明を実施するための最良の形態】
【００１０】
以下、本発明を実施するための最良の形態を説明する。
図１等において、１は本発明の引き出し式のキャビネットであり、２は洗面化粧台である。この実施形態の本発明のキャビネット１は、洗面化粧台２に組み込まれて実現されているものである。
【００１１】
３は、引き出しである。この引き出し３は、前板３ａの上部に取っ手３ｂが設けられ、図６に示されるように、前板３ａの裏面の中央よりやや左寄りに前板３ａと直交して縦板３ｃがＬ字形の取付金具３ｄで垂直に壁状に取り付けられている。従ってこの実施形態の引き出し３は、洗面化粧台２を正面から見て、右側の側面が開放状に形成されている。
なお、この実施形態の場合、引き出し３は、前板３ａの横幅Ｄ（図３参照）が１５０ｍｍに選定され、また高さが洗面化粧台２のカウンター面までの高さとほぼ同等に選定され、縦長状に形成されている。
【００１２】
４（図４参照）は、洗面化粧台２の中に、前後方向に沿って縦向きに設けられている仕切り板である。この仕切り板４の一方の側面の上下位置には、ガイド部材５が洗面化粧台２の前後方向に延びて上下一対状に設けられている。またこのガイド部材５に係合する突条部材６が、縦板３ｃの対応位置に設けられている。引き出し３は、突条部材６がガイド部材５に案内されて摺動することにより、引き出し可能に形成されている。
【００１３】
７は洗濯物であり、８はこの洗濯物７の収納袋である。収納袋８は、引き出し３の中に、口部８ａがフレーム９に開口状に取り付けられた状態で吊り下げられている。フレーム９は、この実施形態では方形状に形成されている。またこの実施形態の場合、収納袋８は、フレーム９に着脱自在に取り付けられている。具体的には、図２に示されるように、収納袋８の口部８ａの周縁の適宜位置に、貫通孔１０が形成されている。そしてこの貫通孔１０を引っ掛けて収納袋８をフレーム９に吊り下げるためのフック１１が、フレーム９の内周面の、貫通孔１０と対応する位置に設けられている。
【００１４】
また上記のフレーム９は、収納袋８に洗濯物７を投入可能になるよう、収納袋８の口部８ａを開閉自在に形成されている。この実施形態では、図４、図５に示されるように、フレーム９は、収納袋８の口部８ａを閉じる起立姿勢と口部８ａを開口する倒伏姿勢をとるよう、引き出し３の前後方向に沿った軸１２を中心に、起伏回動自在に形成されている。またフレーム９は、この実施形態ではワンタッチ式の留め具１３で留め付けられて起立状に配置されている。
【００１５】
上記の軸１２は、具体的には蝶番で形成され、この実施形態では図７に示されるように、前後方向に沿って３ヵ所に取り付けられている。フレーム９は、この軸１２としての蝶番で縦板３ｃに、起伏回動自在に取り付けられているものである。また留め具１３は、この実施形態ではマグネット１３ａを備えて吸着式に形成されている。マグネット１３ａは、縦板３ｃの上端部の略中央位置に設けられている。またこのマグネット１３ａに吸着する磁性体の金属片１３ｂが、フレーム９の対応位置に設けられている。
【００１６】
なお、図１において、１４は洗濯機である。本発明のキャビネット１や洗面化粧台２は、収納袋８からタオルや衣類等の洗濯物７を取り出した後、直ぐに洗濯機１４に移すことができるよう、通常、洗濯機１４が傍らに設置されるものである。
【００１７】
次に本発明の作用を説明する。
ユーザーは、洗濯物７を収納袋８に投入する場合は、先ず引き出し３を、図１に示されるように引き出す。この場合、フレーム９は、図４に示されるように、起立状に配置されている。従ってユーザーは、フレーム９にマグネット１３ａの吸着力以上の力を加え、フレーム９を、図５に示されるように、側方に倒す。この倒されたフレーム９は、この実施形態では水平状態に配置され、これにより収納袋８の口部８ａが開口する。
【００１８】
而してこの場合、引き出し３は、この実施形態では右側の側面が開放されている。従ってフレーム９は、引き出し３の横幅Ｄを越えた大きなサイズでも支障なく倒伏され、また本発明の場合は、フレーム９のサイズに応じた大きなサイズの収納袋８を吊り下げて使用することができる。
なお、ユーザーは、収納袋８に洗濯物７を収納した後や、収納袋８から洗濯物７を取り出した後は、フレーム９を上例と逆に操作して起立状に配置し、留め具１３で縦板３ｃに吸着させてから、引き出し３を閉めて使用する。
【００１９】
以上の処において、フレーム９の形状は、例えば円環状等の丸枠でも良いことは勿論である。
また上例では、フレーム９を起伏回動させて、収納袋８の口部８ａを開閉しているが、本発明はこれに限定されるものではなく、その他、例えば口部８ａを側方にスライドさせて開閉する機構によって実現されるのでも良い。
【図面の簡単な説明】
【００２０】
【図１】本発明の好適な一実施形態を示す使用状態の要部斜視図である。
【図２】収納袋とフレームを示す要部分解斜視図である。
【図３】本発明のキャビネット及び洗面化粧台の斜視図である。
【図４】フレームが起立され、収納袋の口部が閉じられた状態を示す要部正面図である。
【図５】フレームが倒され、収納袋の口部が開口された状態を示す要部正面図である。
【図６】Ａは引き出しの正面図、ＢはＡのＢ−Ｂ線断面図である。
【図７】図６Ａの左側面図である。
【符号の説明】
【００２１】
１      キャビネット
３      引き出し
７      洗濯物
８      収納袋
８ａ    口部
９      フレーム
【図１】
2010099149.tif 000003
【図２】
2010099149.tif 000004
【図３】
2010099149.tif 000005
【図４】
2010099149.tif 000006
【図５】
2010099149.tif 000007
【図６】
2010099149.tif 000008
【図７】
2010099149.tif 000009